(57)【要約】【課題】本発明が解決しようとする課題は、床吹き出しファンユニットにおいて、ラック前面の熱溜りを解消することである。【解決手段】本発明は、前記課題を解決するために、計算機室の熱溜りが発生している場所に空調用グリル板を設置し、その空調用グリル板に床吹き出しファンユニットを取り付けるという手段を採用する。空調用グリル板と床吹き出しファンユニットは一体型ではない。使用するファンは薄型（厚さ６５ｍｍ以下）で一つの床吹き出しファンユニットに複数台のファンを有し風量確保する。ファンは交流または直流で動く物を使用する。温度センサからの信号を受け取り風量調節も可能である。【選択図】図２
2009174726.tif 000002
【特許請求の範囲】
【請求項１】
計算機室で使用する空調用グリル板に付加して使用され、前記空調用グリル板とは別物であり一体型ではなく、前記空調用グリル板に取り付け可能としたことを特徴とする床吹き出しファンユニット。
【請求項２】
フリーアクセスを使用した二重床内の狭い空間（高さ３００ｍｍ〜５００ｍｍ）に設置し、ファンは薄型（厚さ６５ｍｍ以下）の物を使用することを特徴とする床吹き出しファンユニット。
【請求項３】
ファンは薄型ファン（厚さ６５ｍｍ以下）を使用し、ファン単体風量が少なく、複数台のファンを一つのユニットとして使用することを特徴とする床吹き出しファンユニット。
【請求項４】
ファンは交流または直流で動く物を使用することを特徴とする床吹き出しファンユニット。
【請求項５】
温度センサを有していることを特徴とする床吹き出しファンユニット。
【請求項６】
温度センサで採取した温度によりファン回転数が制御できるファン回転数制御機構を有していることを特徴とする床吹き出しファンユニット。
【請求項７】
ファン回転数制御機構には可変抵抗を採用し、ファンが低速回転する下限温度と高速回転する上限温度を設定できることを特徴とする床吹き出しファンユニット。
【請求項８】
請求項５に記した温度センサは、サーバに内蔵している温度センサで代替する、具体的には、サーバに内蔵している温度センサでサーバの入気温度を検知し、それを外部信号としてファン回転数制御機構に渡し、ファン回転数制御機構は、サーバからの信号を受け取ることを特徴とする床吹き出しファンユニット。
【請求項９】
請求項５および８に記した温度センサからファン回転数制御機構への通信手段は、有線だけではなく無線通信も可能であることを特徴とする床吹き出しファンユニット。
【請求項１０】
ファン回転数制御機構は、複数の床吹き出しファンユニットを管理、制御できる管理装置からファン回転数信号を受け取る、具体的には、請求項５および８に記した温度センサにて採取したデータを管理装置にデータ転送し、管理装置でそれぞれの床吹き出しファンユニットで必要なファン回転数を計算し、それぞれの床吹き出しファンユニットのファン回転数制御機構には、管理装置から該当する計算結果の信号を有線または無線通信で与え、ファン回転数制御機構は、管理装置から有線または無線信号を受け取ることを特徴とする床吹き出しファンユニット。
【発明の詳細な説明】
【技術分野】
【０００１】
本発明は計算機室の空調システム技術に関する。
【背景技術】
【０００２】
現在、計算機室の空調用グリル板に取り付け可能な薄型の床吹き出しファンユニットはない。
【０００３】
【特許文献１】特開２００２−２７７００１号
【特許文献２】特願平９−５１１０８１号
【発明の開示】
【発明が解決しようとする課題】
【０００４】
従来、フリーアクセスを使用した二重床の計算機室に設置される計算機は大型計算機が主流であったが近年はサーバが主流となった。大型計算機は空調機からの冷気を直接床下から取り込む方式を採用しており、安定した温度の風を吸い込む事ができた。一方、サーバはラックへ搭載し、ラック前面から床上の空気を吸い込む。空調機とラック間の距離が遠い場合、ラック前面に空調用グリル板を配置しても、空調機からの風が届かず空調用グリル板から床上に風が出てこない。この為、ラック後面から排気される高温の風がラック前面に周り込んでラック前面の空気の温度が高くなる。この高温の空気を以後、熱溜りと呼ぶ。ラックは前面から風を吸い込む為、ラック前面に熱溜りがある場合は、ラック内に搭載されたサーバは温度異常等の障害を発する。
【０００５】
本発明が解決しようとする課題は、ラック前面の熱溜りを解消することである（図１参照）。
【課題を解決するための手段】
【０００６】
本発明は、前記課題を解決するために、計算機室の熱溜りが発生している場所に空調用グリル板を設置し、その空調用グリル板に床吹き出しファンユニットを取り付けるという手段をとる。
【発明の効果】
【０００７】
本発明は、前記手段を適用する事で、計算機室の熱溜りを解消できるという効果がある。
【発明を実施するための最良の形態】
【０００８】
以下、図面に従って本発明に係る床吹き出しファンユニットについて説明する。
【０００９】
図１に床吹き出しファンユニット１４を適用する前の例を示す。図１は、フリーアクセス１１を有した計算機室１０の例を示している。空調機１９とサーバラック１２の距離が遠い為、サーバラック１２の前面に空調用グリル板１３を設置しても空調機１９からの風が届かず、空調用グリル板１３から床上に冷風が出てこない。この為、サーバラック１２の後面から排出された高温の風がサーバラック１２の前面に周り込みサーバラック１２の前面の空気温度が高くなる。この高温の空気を以後、熱溜りと呼ぶ。サーバラック１２は前面から風を吸い込む為、サーバラック１２の前面に熱溜りがある場合、サーバラック１２は、温度異常などの障害を発するという問題がある。本発明の課題は、このサーバラック１２の前面の熱溜りを解消することである。
【００１０】
図２に床吹き出しファンユニット１４の実施例を示す。図２は、フリーアクセス１１を有した計算機室１０の例を示している。サーバラック１２の後面から排出された暖気は、熱溜りとなって計算機室１０に存在する。サーバラック１２の前面には熱溜りがあってはならない為、サーバラック１２の前面に空調用グリル板１３を設置し、さらにその空調用グリル板１３に床吹き出しファンユニット１４を取り付け、床下の冷気をサーバラック１２の前面に供給し、熱溜りを解消する。また、床吹き出しファンユニット１４のサーミスタ（温度センサ）２１をサーバラック１２の前面に設置することで、サーミスタ（温度センサ）２１で検出された温度に応じて床吹き出しファンユニット１４のファン回転数を制御し、空調用グリル板１３から出てくる風量を調整することが可能である。
【００１１】
図３に床吹き出しファンユニット１４の空調用グリル板１３への取り付け例を示す。床吹き出しファンユニット１４に設けた空調用グリル板固定用ビス穴１５を利用して空調用グリル板１３に固定する。
【００１２】
図４に床吹き出しファンユニット１４の構成例を示す。床吹き出しファンユニット１４は、空調用グリル板固定用ビス穴１５、ベースプレート１６、ファン１７、電源１８、ファン回転数制御機構２０で構成される。ファン１７は交流または直流電源で動作する物を採用する。ファン１７の数は複数台。ファン１７の厚さは６５ｍｍ以下。ベースプレート１６の大きさは、４５０〜６００ｍｍ×４５０〜６００ｍｍである。
【００１３】
図５にファン回転数制御機構２０の構成例を示す。ファン回転数制御機構２０は、ファン１７、電源１８、サーミスタ（温度センサ）２１、可変抵抗２２で構成される。
【００１４】
図６にファン回転数制御機構２０の回転数制御例を示す。図５に示した可変抵抗２２の抵抗値を任意に変えることでファン１７が低速回転する下限温度（ＴＬ）と高速回転する上限温度（ＴＨ）を設定できる。また、下限温度（ＴＬ）と上限温度（ＴＨ）の間のファン回転数は、可変速領域である。
【産業上の利用可能性】
【００１５】
本発明の床吹き出しファンユニットは、計算機室やデータセンタ、その他各方面の建築施設で使用できる。
【図面の簡単な説明】
【００１６】
【図１】床吹き出しファンユニットを計算機室に適用する前の例の図である。
【図２】床吹き出しファンユニットを計算機室に適用する例の図である。
【図３】床吹き出しファンユニットを空調用グリル板に取り付ける例の図である。
【図４】床吹き出しファンユニットの構成例を示す図である。
【図５】ファン回転数制御機構の構成例を示す図である。
【図６】床吹き出しファンユニットのファン回転数変化率の例を示すグラフである。
【符号の説明】
【００１７】
１０…計算機室、１１…フリーアクセス、１２…サーバラック、１３…空調用グリル板、１４…床吹き出しファンユニット、１５…空調用グリル板固定用ビス穴、１６…ベースプレート、１７…ファン、１８…電源、１９…空調機、２０…ファン回転数制御機構、２１…サーミスタ（温度センサ）、２２…可変抵抗。
【図１】
2009174726.tif 000003
【図２】
2009174726.tif 000004
【図３】
2009174726.tif 000005
【図４】
2009174726.tif 000006
【図５】
2009174726.tif 000007
【図６】
2009174726.tif 000008